(57)【特許請求の範囲】
【請求項１】
内部を回流する空気の温度調節手段と測定を行う測定胴とを備えた回流式の温度成層風洞において、前記測定胴よりも下流側の風洞上面に通気孔を形成し、該通気孔を形成した部位を覆うように風洞に対し幅方向へ延び且つ一端部が閉塞された集合ダクトを設け、該集合ダクトの他端部に接続されて下方向へ延びる流路と該流路の先端部に設けられた開口とを有する通気ダクトを設け、該通気ダクトの開口を開閉自在な開閉蓋を設け、該開閉蓋を開閉し得る開閉機構を設けたことを特徴とする温度成層風洞。
【請求項２】
内部を回流する空気の温度調節手段と測定を行う測定胴とを備えた回流式の温度成層風洞において、前記測定胴よりも下流側の風洞下面に通気孔を形成し、該通気孔を形成した部位を覆うように風洞に対し幅方向へ延び且つ一端部が閉塞された集合ダクトを設け、該集合ダクトの他端部に接続されて上方へ延びる流路と該流路の先端部に設けられた開口とを有する通気ダクトを設け、該通気ダクトの開口を開閉自在な開閉蓋を設け、該開閉蓋を開閉し得る開閉機構を設けたことを特徴とする温度成層風洞。
【請求項３】
内部を回流する空気の温度調節手段と測定を行う測定胴とを備えた回流式の温度成層風洞において、前記測定胴よりも下流側の風洞上面に通気孔を形成し、該通気孔を形成した部位を覆うように風洞に対し幅方向へ延び且つ一端部が閉塞された集合ダクトを設け、該集合ダクトの他端部に接続されて下方へ延び更に途中から折り曲げられて上方へ延びる流路と該流路の先端部に設けられた開口とを有する通気ダクトを設け、該通気ダクトの開口を開閉自在な開閉蓋を設け、該開閉蓋を開閉し得る開閉機構を設けたことを特徴とする温度成層風洞。
【請求項４】
通気孔を開閉可能な開閉蓋を設け、該開閉蓋の開度を調整し得る遠隔開閉手段を設けたことを特徴とする請求項１、請求項２、及び請求項３のいずれかに記載の温度成層風洞。
【発明の詳細な説明】
【０００１】
【発明の属する技術分野】
本発明は、風洞内部をほぼ大気圧並みに保持し得る温度成層風洞に関するものである。
【０００２】
【従来の技術】
図１０及び図１１は従来の温度成層風洞の一例の概略を示すものである。
【０００３】
建屋床面１上に所定の間隔で立設された門型支柱２により水平状態で支持される測定胴３を設け、該測定胴３の上流側端部近傍における建屋床面１に測定胴３と直交する方向で且つ水平方向へ延びるカート移動レール４を敷設し、該カート移動レール４上に成層カート５及び高速カート６を移動自在に設けて、何れか一方を選択して測定胴３の上流側端部に連結し得るようにする。
【０００４】
即ち、図では通常の温度成層試験を行ない得るよう成層カート５が選択されており、該成層カート５は、内部に図示しない整流板及び気流加熱ヒータを多段に備え、上流側から導入された気流を上下方向に所定の温度分布を付した成層流として下流側に流し得るように構成されている。尚、このような成層流を必要としない高速気流による試験を行なう場合にも対応できるように、流路抵抗の少ない高速カート６に交換可能とする。
【０００５】
更に、前記成層カート５の上流側には、縮流胴７と整流胴８とが接続されており、建屋の上部床面９上に設けられた、前記測定胴３と平行する方向へ延びる回流ダクト１０には、第４コーナ胴１１及び第３コーナ胴１２を介して前記整流胴８の上流側が接続され、前記回流ダクト１０の上流側の端部に軸流送風機１３が連結されている。該軸流送風機１３の吸気側には、熱交換器胴１４を介して吸気胴１５が接続されている。
【０００６】
又、前記測定胴３の下流側端部には下流胴１６が接続されており、該下流胴１６の下流側に第１コーナ胴１７、気流混合胴１８を介して第２コーナ胴１９が接続され、該第２コーナ胴１９の下流側の端部は前記吸気胴１５の端部に連結され、側面には排気胴２０が設けられている。
【０００７】
前記測定胴３の下部には、測定胴３の床温度制御を行なうようにした複数の床温度調節ユニット２１が配置されており、測定胴３の上面には、測定胴３の天井温度制御を行なうようにした複数の温風発生器２２が配置されている。
【０００８】
又、測定胴３の側面には、観測窓２３、作業員出入口２４、模型搬入扉２５などが設けられている。
【０００９】
上記構成において、軸流送風機１３を作動させると、吸気胴１５から吸い込まれた空気が、熱交換器胴１４の内部において熱交換作用を受けて温度調節され、軸流送風機１３によって圧送されて回流ダクト１０を通り、第３コーナ胴１２、第４コーナ胴１１を経て整流胴８内で整流され、縮流胴７を通り成層カート５を経て上下方向に所定の温度分布を付された成層流となり、測定胴３の内部へと導入されて、各種の風洞実験に用いられる。
【００１０】
ここで、前記成層流には、下層から上層に向けて温度が徐々に高くなるような温度分布が付され、このような温度分布とされることによって、対流による二次流が生じ難い安定した成層流となるのである。
【００１１】
更に、測定胴３の下方に設けた床温度調節ユニット２１により測定胴３の床部を冷却し、相対的に温度を低くした成層流の下層の流れが、床部から熱を受けて二次的な上昇気流を生じないようにする。
【００１２】
又、測定胴３の上面に設けた温風発生器２２により測定胴３の天井部を加熱し、相対的に温度を高く設定した成層流の上層の流れが、天井部に熱を奪われて二次的な下降気流を生じないようにする。
【００１３】
前記測定胴３を通過した空気は、下流胴１６、第１コーナ胴１７、気流混合胴１８、第２コーナ胴１９を経て排気胴２０から風洞の外部へ放出されるか、又は、吸気胴１５へ回流されるように形成されている。
【００１４】
尚、温度成層風洞は、下層から上層に向けて温度が徐々に高くなるような温度分布を有する成層流のみに限らず、実験の種類によっては、全体的に加温された空気流を回流させたり、全体的に冷却された空気流を回流させる場合もある。
【００１５】
ところが、上述の温度成層風洞では、内部を循環している空気が軸流送風機１３によって圧送されているため、測定胴３内の圧力が外気圧よりも上昇する傾向にあり、自然条件を模した風洞実験を行う場合に、外気圧よりも高い圧力によって好ましくない実験結果が出る可能性がある。
【００１６】
一方、従来の温度制御を行なわない風洞、即ち、温度成層風洞以外の風洞においては、図１２に示すように、下流胴１６の上面の所定部分に、所要の大きさを有する複数の通気孔２６と、該通気孔２６を覆い且つ手動によって開閉し得る扉型の開閉蓋２７と、該開閉蓋２７を手動による遠隔操作によって開閉し得る開閉手段２８とにより構成した均圧機構２９を設け、開閉手段２８を手動操作して前記各開閉蓋２７を開くことにより、風洞の内部と外部との圧力が等しくなるようにしている。
【００１７】
【発明が解決しようとする課題】
しかしながら、前述の均圧機構２９を、風洞内部の温度と風洞外部の温度との間に差異が生じる温度成層風洞などの高温又は低温の空気を取り扱う風洞に対して直接適用した場合、風洞内部の温度制御された空気が、外気との温度差によって生じる浮力により、前記開閉蓋２７が開かれている通気孔２６を通して風洞の外部へ多量に漏出してしまい、測定胴３内の空気の流れを乱してしまうこととなるので、前述の均圧機構２９をそのまま採用することができないという問題があった。
【００１８】
本発明は前述の実情に鑑み、空気を外部へ漏出させずに内外の圧力を制御させ得るようにした温度成層風洞を提供することを目的としてなしたものである。
【００１９】
【課題を解決するための手段】
本発明の第一の手段は、内部を回流する空気の温度調節手段と測定を行う測定胴とを備えた回流式の温度成層風洞において、前記測定胴よりも下流側の風洞上面に通気孔を形成し、該通気孔を形成した部位を覆うように風洞に対し幅方向へ延び且つ一端部が閉塞された集合ダクトを設け、該集合ダクトの他端部に接続されて下方向へ延びる流路と該流路の先端部に設けられた開口とを有する通気ダクトを設け、該通気ダクトの開口を開閉自在な開閉蓋を設け、該開閉蓋を開閉し得る開閉機構を設けたことを特徴とする温度成層風洞にかかるものである。
【００２０】
本発明の第二の手段は、内部を回流する空気の温度調節手段と測定を行う測定胴とを備えた回流式の温度成層風洞において、前記測定胴よりも下流側の風洞下面に通気孔を形成し、該通気孔を形成した部位を覆うように風洞に対し幅方向へ延び且つ一端部が閉塞された集合ダクトを設け、該集合ダクトの他端部に接続されて上方へ延びる流路と該流路の先端部に設けられた開口とを有する通気ダクトを設け、該通気ダクトの開口を開閉自在な開閉蓋を設け、該開閉蓋を開閉し得る開閉機構を設けたことを特徴とする温度成層風洞にかかるものである。
【００２１】
本発明の第三の手段は内部を回流する空気の温度調節手段と測定を行う測定胴とを備えた回流式の温度成層風洞において、前記測定胴よりも下流側の風洞上面に通気孔を形成し、該通気孔を形成した部位を覆うように風洞に対し幅方向へ延び且つ一端部が閉塞された集合ダクトを設け、該集合ダクトの他端部に接続されて下方へ延び更に途中から折り曲げられて上方へ延びる流路と該流路の先端部に設けられた開口とを有する通気ダクトを設け、該通気ダクトの開口を開閉自在な開閉蓋を設け、該開閉蓋を開閉し得る開閉機構を設けたことを特徴とする温度成層風洞にかかるものである。
【００２２】
上記各場合において、通気孔を開閉可能な開閉蓋を設け、該開閉蓋の開度を調整し得る遠隔開閉手段を設けるようにしても良い。
【００２３】
上記各手段によれば、開閉機構によって開閉蓋を開くことにより、風洞の内部が通気孔と集合ダクトと通気ダクトを介して外部に解放されるため、測定胴の内部を大気圧と等しくすることができる。
【００２４】
この際、加温されて軽くなった空気は、通気孔を介して集合ダクトへ漏出しても下方へ延びる通気ダクトによって外部へ出て行きにくくなり、反対に冷却されて重くなった空気は、通気孔を介して集合ダクトへ漏出しても上方へ延びる通気ダクトによって外部へ出て行きにくくなる。これによって、風洞から空気が大量に漏出することが防止され、測定胴内の空気の流れが乱されることが防止される。
【００２５】
又、通気孔に開閉蓋を設けた場合には、遠隔開閉手段により開閉蓋の開度を調節することによって、該通気孔から集合ダクト、通気ダクトを介して風洞の外部へ流れる空気の漏出量が減少されるよう調整することが可能となる。
【００２６】
【発明の実施の形態】
以下、本発明の実施の形態を、図示例と共に説明する。
【００２７】
図１から図７は、本発明の実施の形態の一例を示すものである。
【００２８】
尚、温度成層風洞の基本的な構造については、図１０、図１１と同様であるため説明を省略するものとし、必要に応じてこれらの図を参照する。
【００２９】
測定胴３の下流側に接続された下流胴１６の上面に、該下流胴１６の幅方向へ所定の間隔を置いて、所定の大きさを有する通気孔３０を複数形成し、各通気孔３０に適合する大きさを有する開閉蓋３１を設け、該開閉蓋３１の一辺をヒンジ３２を介して前記通気孔３０に一側に開閉自在に取り付け、各開閉蓋３１に共通する遠隔開閉手段３３を設ける。
【００３０】
前記遠隔開閉手段３３は、図３に示すように、通気孔３０のヒンジ３２取付側の近傍を通って下流胴１６の幅方向へ延び且つ軸受３４によって回転自在に支持された長軸３５と、該長軸３５上の通気孔３０に対応する位置に各２本ずつ固定され且つそれぞれが互いに平行して開閉蓋３１の上方へ延びるアーム３６と、図６に示すように、該アーム３６の先端と開閉蓋３１に形成されたボス部との間を連結するリンク３７と、下流胴１６の一側側方に突出する前記長軸３５の一端に固定され且つ図４に示すように前記アーム３６に平行する方向へ延びるレバー３８と、下流胴１６の一側側面における前記レバー３８先端の下方位置に、垂直方向へ所定の間隔を置いて配置した軸受３９によって上下方向へ摺動自在に支持され且つ前記レバー３８の先端部にリンク４０を介して連結された上端部を有する竪軸４１と、該竪軸４１の下端部に設けた伝達機構４２（例えば、ラックとピニオン）を介して係合するハンドル４３とによって構成されている。
【００３１】
前記遠隔開閉手段３３は、ハンドル４３を人力により回すと、伝達機構４２を介して竪軸４１が上下動し、竪軸４１の上端部にリンク４０を介して連結されたレバー３８が前記長軸３５を回転させる結果、該長軸３５に取り付けられているアーム３６によりリンク３７を介して開閉蓋３１が吊上げられ、又は吊り下ろされ、通気孔３０を開閉できるように形成されている。
【００３２】
本実施の形態では更に、下流胴１６の上面に、下流胴１６の幅方向へ延び且つ一端部が閉塞された集合ダクト４４を、下流胴１６の前記通気孔３０や長軸３５が配設された部分を覆うように固設し、下流胴１６の側面に沿って下方へ延びる流路４５を集合ダクト４４の他端部に接続し、流路４５の先端部に開口４６を設けて、通気ダクト４７を構成する。
【００３３】
又、図７に示すように、前記通気ダクト４７の開口４６に適合する大きさを有し、一側外方に延びるレバー４８を有する開閉蓋４９を設け、該開閉蓋４９を開口４６の外側に配設したヒンジ５０を介して開閉自在に通気ダクト４７の先端部に取り付け、該開閉蓋４９を開閉させる開閉機構５１を通気ダクト４７の先端部近傍に付設する。
【００３４】
前記開閉機構５１は、通気ダクト４７の外面に設けたブラケット５２と、該ブラケット５２によって支持された流体圧シリンダ５３とからなり、該流体圧シリンダ５３のロッド５４の先端部が前記開閉蓋４９のレバー４８に連結されており、流体圧シリンダ５３のロッド５４を進退動させることによって開閉蓋４９を開閉できるように形成されている。
【００３５】
尚、５５は前記集合ダクト４４及び通気ダクト４７を含む下流胴１６の外面を覆う断熱部材である。
【００３６】
以下、本実施の形態の作動について説明する。
【００３７】
図１０、図１１の温度成層風洞において、軸流送風機１３を作動させると、吸気胴１５から吸い込まれた空気が、熱交換器胴１４の内部において熱交換作用を受けて温度調節され、軸流送風機１３によって圧送されて回流ダクト１０を通り、第３コーナ胴１２、第４コーナ胴１１を経て整流胴８内で整流され、縮流胴７を通り成層カート５を経て下層から上層に向け温度が徐々に高くなるような温度分布が付され、このような温度分布とされることによって、対流による二次流が生じ難い安定した成層流となり、測定胴３の内部へと導入されて各種の風洞実験に用いられ、測定胴３を通過した空気は、下流胴１６、第１コーナ胴１７、気流混合胴１８、第２コーナ胴１９を経て排気胴２０から風洞の外部へ放出されるか、又は、吸気胴１５へ回流されることは、従来例の温度成層風洞と変わるところはない。
【００３８】
このような温度成層風洞では、内部を回流している空気が軸流送風機１３によって圧送されているために、温度成層風洞内部の圧力が外気圧よりも上昇する傾向にあるので、自然条件を模した風洞実験を行う場合に、外気圧よりも高い圧力によって好ましくない実験結果が出る可能性がある。
【００３９】
そこで、遠隔開閉手段３３のハンドル４３を人力により回し、伝達機構４２を介して竪軸４１を上昇動させ、竪軸４１の上端部にリンク４０を介して連結されたレバー３８に前記長軸３５を回転させ、該長軸３５に取り付けられているアーム３６によりリンク３７を介して開閉蓋３１を吊上げさせ、下流胴１６の上面に形成された通気孔３０を開口させる。
【００４０】
この状態で、開閉機構５１を構成する流体圧シリンダ５３のロッド５４を収縮動させることによって開閉蓋４９を下方へ回動させ、下流胴１６上面の通気孔３０に接続された通気ダクト４７の開口４６を開口させる。
【００４１】
すると、下流胴１６の内部が通気ダクト４７を介して大気に解放されるので、下流胴１６の内部と外部との圧力が等しくなる。これにより、自然条件を模した風洞実験を支障なく行うことができるようになる。
【００４２】
この際、温度成層風洞の上層を流れる加温され軽くなった空気が浮力によって下流胴１６の上面に形成された通気孔３０から集合ダクト４４へ漏出しようとするが、集合ダクト４４の端部に接続した通気ダクト４７の流路４５が下方へ延びているため、集合ダクト４４に流出した空気は、加温されて軽くなった空気自体が有する浮力の作用によって集合ダクト４４及び通気ダクト４７の流路４５の上方に滞留し、風洞の外部へ漏出することを抑制される。これによって、温度成層風洞の外部へ空気が多量に漏出されることを防止することができる。
【００４３】
尚、通気孔３０から集合ダクト４４へ漏出される加温された空気の量が余り多すぎる場合には、加温されて軽くなった空気が下方へ延びている通気ダクト４７の流路４５へと押出されて行く可能性があるが、この場合には、遠隔開閉手段３３のハンドル４３を操作することによって通気孔３０に設けた開閉蓋３１の開度を小さくすることにより、通気孔３０を通り集合ダクト４４から通気ダクト４７を介して通気ダクト４７の開口４６へ流れる空気の漏出を抑えることができる。但し、下流胴１６上面の通気孔３０の開口面積が適切であれば、遠隔開閉手段３３が不要なことはいうまでもない。
【００４４】
以上述べたように、上記実施の形態によれば、風洞の内部を回流し且つ加温される空気の風洞外部への漏出を防止することができるので、風洞の内外圧力のバランスを適宜に保持することができる。
【００４５】
又、可動部分が比較的に少なく構造が簡単であり、温度差の大小に関わりなく機能する。
【００４６】
図８は本発明の他の実施の形態の断面図であり、内部を低温の空気が回流する風洞に適用する場合の例を示すものである。尚、図中、図１から図７と同じものには同じ符号を付すことにより説明を省略している。
【００４７】
本実施の形態では、測定胴３の下流側に接続された下流胴１６の下面に、該下流胴１６の幅方向へ所定の間隔を置いて、所定の大きさを有する通気孔３０を複数穿設し、各通気孔３０に適合する大きさを有する開閉蓋３１を設け、該開閉蓋３１の一辺をヒンジ３２を介して前記通気孔３０の一側に開閉自在に取り付け、各開閉蓋３１に共通する遠隔開閉手段５６を設ける。
【００４８】
前記遠隔開閉手段５６は、通気孔３０のヒンジ３２取付側の近傍を通って下流胴１６の幅方向へ延び且つ軸受３４によって回転自在に支持された長軸３５と、該長軸３５上の通気孔３０に対応する位置に各２本ずつ固定され且つそれぞれが互いに平行して開閉蓋３１の上方へ延びるアーム３６と、該アーム３６と開閉蓋３１との間を連結するリンク３７と、下流胴１６の一側側方に突出する前記長軸３５の一端に固定され且つ図示しないストッパを有するハンドル４３とによって構成されている。
【００４９】
前記遠隔開閉手段５６は、図示していないストッパを緩めてからハンドル４３を人力により回し長軸３５を回転させると、該長軸３５に取り付けられているアーム３６によりリンク３７を介して開閉蓋３１が突き上げられ、又は引き下ろされ、通気孔３０を開閉できるように形成されている。
【００５０】
更に、下流胴１６の下面に、下流胴１６の幅方向へ延び且つ一端部が閉塞された集合ダクト５７を、前記通気孔３０や長軸３５が配設された部分を覆うように固設し、下流胴１６の側面に沿って上方へ延びる流路５８を集合ダクト５７の他端部に接続し、流路５８の先端部に開口５９を設けて、通気ダクト６０を構成する。
【００５１】
又、前記通気ダクト６０の開口５９に、図７に示すものと同様の開閉蓋４９と開閉機構５１とを付設する。
【００５２】
尚、６１は前記集合ダクト５７及び通気ダクト６０を含む下流胴１６の外面を覆う断熱部材である。
【００５３】
上述の他は、図１から図７に示す前述の一実施の形態の温度成層風洞と変わるところはないので、以下の説明を省略する。
【００５４】
本実施の形態の温度成層風洞では、図示していないストッパを緩めてからハンドル４３を人力により回し長軸３５を回転させ、該長軸３５に取り付けられているアーム３６によりリンク３７を介して開閉蓋３１を突き上げさせ、通気孔３０を開口させる。
【００５５】
この状態で、開閉機構５１を構成する流体圧シリンダ５３のロッド５４を伸縮動させることによって開閉蓋４９を上方へ回動させ、下流胴１６下面の通気孔３０に接続された通気ダクト６０の開口５９を開口させる。
【００５６】
すると、下流胴１６の内部が通気ダクト６０を介して大気に解放されるので、下流胴１６の内部と外部との圧力が等しくなる。これにより、自然条件を模した風洞実験を支障なく行うことができるようになる。
【００５７】
この際、温度成層風洞の下層を流れる冷却されて重くなった空気がマイナスの浮力によって下流胴１６の下面に形成された通気孔３０から集合ダクト５７へ漏出しようとするが、集合ダクト５７の端部に接続した通気ダクト６０の流路５８が下方へ延びているため、集合ダクト５７に流出した空気は、冷却されて重くなった空気自体が有するマイナスの浮力の作用によって集合ダクト５７の下部及び通気ダクト６０の流路５８の下方に滞留し、風洞の外部へ漏出することを抑制される。これによって、温度成層風洞の外部へ空気が多量に漏出されることを防止することができる。
【００５８】
通気孔３０から集合ダクト５７へ漏出される冷却されて重くなった空気の量が余り多すぎる場合には、冷却されて重くなった空気が上方へ延びている通気ダクト６０の流路５８へと押出されて行く可能性があるが、この場合には、遠隔開閉手段５６のハンドル４３を操作することによって通気孔３０に設けた開閉蓋３１の開度を小さくすることにより、通気孔３０を通り集合ダクト５７から通気ダクト６０を介して通気ダクト６０の開口５９へ流れる空気の漏出を抑えることができる。但し、下流胴１６下面の通気孔３０の開口面積が適切であれば、遠隔開閉手段３３が不要なことはいうまでもない。
【００５９】
以上述べたように、上記実施の形態によれば、風洞の内部を回流し且つ冷却される空気の風洞外部への漏出を防止することができるので、風洞の内外圧力のバランスを適宜に保持することができる。
【００６０】
又、可動部分が比較的に少なく構造が簡単であり、温度差の大小に関わりなく機能する。
【００６１】
図９は本発明の更に他の実施の形態の断面図であり、内部を回流する空気が高温のことも低温のこともある風洞に適用する場合の例を示すものである。尚、図中、図１から図７と同じものには同じ符号を付すことにより説明を省略している。
【００６２】
本実施の形態では、測定胴３の下流側に接続された下流胴１６の上面に、該下流胴１６の幅方向へ所定の間隔を置いて、所定の大きさを有する通気孔３０を複数穿設し、各通気孔３０に適合する大きさを有する開閉蓋３１を設け、該開閉蓋３１の一辺をヒンジ３２を介して前記通気孔３０の一側に開閉自在に取り付け、各開閉蓋３１に共通する遠隔開閉手段３３を設ける。
【００６３】
前記遠隔開閉手段３３は、図３などに示す前述の一実施の形態のものと同じであるので、以下の説明を省略する。
【００６４】
更に、下流胴１６の上面に、下流胴１６の幅方向へ延び且つ一端部が閉塞された集合ダクト４４を、前記通気孔３０や長軸３５が配設された部分を覆うように固設し、下流胴１６の側面に沿って下方へ延び且つ途中から折り曲げられて上方へ延びる流路６２を集合ダクト４４の他端部に接続し、流路６２の先端部に開口６３を設けて通気ダクト６４を構成する。
【００６５】
又、前記通気ダクト６４の開口６３に、図７に示すものと同様の開閉蓋４９と開閉機構５１とを付設する。
【００６６】
尚、６５は前記集合ダクト４４及び通気ダクト６４を含む下流胴１６の外面を覆う断熱部材である。
【００６７】
上述の通気ダクト６４の他は、図１から図７に示す前述の一実施の形態の温度成層風洞と変わるところはないので、以下の説明を省略する。
【００６８】
本実施の形態では、遠隔開閉手段３３のハンドル４３を人力により回し、伝達機構４２を介して竪軸４１を上昇動させ、竪軸４１の上端部にリンク４０を介して連結されたレバー３８に前記長軸３５を回転させ、該長軸３５に取り付けられているアーム３６によりリンク３７を介して開閉蓋３１を吊上げさせ、下流胴１６の上面に形成された通気孔３０を開口させる。
【００６９】
この状態で、開閉機構５１を構成する流体圧シリンダ５３のロッド５４を収縮動させることによって開閉蓋４９を下方へ回動させ、下流胴１６上面の通気孔３０に接続された通気ダクト６４の開口６３を開口させる。
【００７０】
すると、下流胴１６の内部が通気ダクト６４を介して大気に解放されるので、下流胴１６の内部と外部との圧力が等しくなる。これにより、自然条件を模した風洞実験を支障なく行うことができるようになる。
【００７１】
この際、温度成層風洞に加温された空気が流されている場合、加温されて軽くなった空気は浮力によって下流胴１６の上面に形成された通気孔３０から集合ダクト４４へ漏出しようとするが、集合ダクト４４の端部に接続した通気ダクト６４の流路６２が下方へ延びているため、集合ダクト４４に流出した空気は、加温されて軽くなった空気自体が有する浮力の作用によって集合ダクト４４及び通気ダクト６４の流路６２の上方に滞留し、風洞の外部へ漏出することを抑制される。これによって、温度成層風洞の外部へ空気が多量に漏出されることを防止することができる。
【００７２】
反対に、温度成層風洞に冷却された空気が流されている場合、冷却されて重くなった空気はマイナスの浮力によって下流胴１６の上面に形成された通気孔３０から集合ダクト４４へ漏出しようとはせず、しかも、冷却されて重くなった空気が通気孔３０から集合ダクト４４へ漏出したとしても、集合ダクト４４の端部に接続した通気ダクト６４の流路６２が下方へ延びた後に折り曲げられて上方へ延ばされているため、集合ダクト４４に流出した空気は、冷却されて重くなった空気自体が有するマイナスの浮力の作用によって通気ダクト６４の流路６２の下方に滞留し、風洞の外部へ漏出することを抑制される。これによって、温度成層風洞の外部へ空気が多量に漏出されることを防止することができる。
【００７３】
尚、通気孔３０から集合ダクト４４へ漏出される空気の量が余り多すぎる場合には、空気が下方へ延び且つ途中で折り曲げられて上方へ延びている通気ダクト６４の流路６２へと押出されて行く可能性があるが、この場合には、遠隔開閉手段３３のハンドル４３を操作することによって通気孔３０に設けた開閉蓋３１の開度を小さくすることにより、通気孔３０を通り集合ダクト４４から通気ダクト６４を介して通気ダクト６４の開口６３へ流れる空気の漏出を抑えることができる。但し、下流胴１６上面の通気孔３０の開口面積が適切であれば、遠隔開閉手段３３が不要なことはいうまでもない。
【００７４】
以上述べたように、上記実施の形態によれば、風洞の内部を回流し且つ加温又は冷却される空気の風洞外部への漏出を防止することができるので、空気を加温又は冷却する風洞においても風洞の内外圧力のバランスを適宜に保持することができる。
【００７５】
又、可動部分が比較的に少なく構造が簡単であり、温度差の大小に関わりなく機能する。
【００７６】
尚、本発明の温度成層風洞の実施の形態では、通気孔に開閉蓋を設けた場合について説明したが、開閉蓋を設けなくてもよいこと、その他、本発明の要旨を逸脱しない範囲内において種々変更を加え得ることは勿論である。
【００７７】
【発明の効果】
以上述べたように、本発明の温度成層風洞によれば、下記のような優れた効果を奏し得る。
【００７８】
（１）加温されて軽くなった空気や、冷却されて重くなった空気を外部へ多量に漏出させずに内部の圧力を大気圧に調整させることが可能である。
【００７９】
（２）可動部が少なく構造が簡単である。
【００８０】
（３）空気の温度差の大小に関わりなく機能する。
【図面の簡単な説明】
【図１】本発明の一実施の形態の概略を示す斜視図である。
【図２】図１のＩＩ−ＩＩ矢視図である。
【図３】図２のＩＩＩ−ＩＩＩ矢視図である。
【図４】図２のＩＶ−ＩＶ矢視図である。
【図５】図２のＶ−Ｖ矢視図である。
【図６】図１に関連する遠隔開閉手段の一部拡大図である。
【図７】図１に関連する開閉機構の側面図である。
【図８】本発明の他の実施の形態の概略を示す断面図である。
【図９】本発明の更に他の実施の形態の概略を示す断面図である。
【図１０】従来の温度成層風洞の一例の概略を示す側面図である。
【図１１】図１０のＸＩ−ＸＩ矢視図である。
【図１２】従来の温度制御を行なわない風洞に設けた温度成層風洞の一例の斜視図である。
【符号の説明】
３  測定胴
１６  下流胴
３０  通気孔
３１，４９  開閉蓋
３３  遠隔開閉手段
４４，５７  集合ダクト
４５，５８，６２  流路
４６，５９，６３  開口
４７，６０，６４  通気ダクト
５１  開閉機構
【図１】
0003613854.tif 000002
【図２】
0003613854.tif 000003
【図３】
0003613854.tif 000004
【図４】
0003613854.tif 000005
【図５】
0003613854.tif 000006
【図６】
0003613854.tif 000007
【図７】
0003613854.tif 000008
【図８】
0003613854.tif 000009
【図９】
0003613854.tif 000010
【図１０】
0003613854.tif 000011
【図１１】
0003613854.tif 000012
【図１２】
0003613854.tif 000013